(57)【要約】【課題】赤外光カットフィルタが着脱自在になった撮像装置において、不適正な撮像行為を正しく判定する。【解決手段】マイコンは、フィルタが離脱位置であることを検出したときに（Ｓ１でＹＥＳ）、赤外光ＬＥＤランプを点灯し（Ｓ２）、所定のタイミングで、消灯直前の像をメモリに記憶した後（Ｓ４）、ランプを消灯し、消灯時の像を記憶すると共に、ファインダの像をリアルタイムの像からメモリに記憶した消灯直前の像に切替える（Ｓ５）。次に、消灯する直前の像と消灯時の像の明るさを比較し（Ｓ６）、明るさに差が無く（Ｓ７でＮＯ）、両像が共に暗くない場合に（Ｓ８でＮＯ）、不適正な撮像行為であると判定してファインダにブルーバック画像を表示する（Ｓ９）。赤外光により照明されている直前画像と、赤外光による照明がない消灯時画像とで明るさに差が無い場合には、被写体が赤外光の到達不能な距離にあることから、不適正な撮像であると判定する。【選択図】図２
2012039359.tif 000002
【特許請求の範囲】
【請求項１】
レンズ、絞り等の光学系により形成された光路を経て被写体から到来する光を受けて該光の可視光領域と赤外光領域の撮像が可能な撮像素子と、
前記撮像素子により撮像された像を表示する表示部と、
ユーザの操作によって、前記光路に挿入されて光の赤外光領域の波長成分をカットするカット位置と、前記光路から離脱されて光をそのまま前記撮像素子に到達させる離脱位置との間で切替え自在になった赤外光カットフィルタと、
前記被写体を照明するための赤外光源と、を備える撮像装置において、
前記赤外光カットフィルタの前記カット位置から前記離脱位置への切替えを検出するフィルタ位置検出手段と、
前記フィルタ位置検出手段により前記赤外光カットフィルタの前記カット位置から前記離脱位置への切替えが検出されたときに、前記赤外光源を点灯する赤外光源点灯手段と、
前記赤外光源点灯手段により点灯された赤外光源を所定のタイミングで一時的に消灯又は照度が減少した状態にする赤外光源制御手段と、
前記赤外光源制御手段により赤外光源が消灯又は照度が減少した状態にされたときに前記撮像素子により撮像された像と、赤外光源が消灯又は照度が減少した状態にされる直前、又は直後に前記撮像素子により撮像された像とを比較し、明るさに差が無い場合、又は明るさの差が所定の差量よりも小さい場合に、不正な撮像操作であると判定する不正操作判定手段と、を備えることを特徴とする撮像装置。
【請求項２】
レンズ、絞り等の光学系により形成された光路を経て被写体から到来する光を受けて該光の可視光領域と赤外光領域の撮像が可能な撮像素子と、
前記撮像素子により撮像された像を表示する表示部と、
ユーザの操作によって、前記光路に挿入されて光の赤外光領域の波長成分をカットするカット位置と、前記光路から離脱されて光をそのまま前記撮像素子に到達させる離脱位置との間で切替え自在になった赤外光カットフィルタと、
前記被写体を照明するための赤外光源と、を備える撮像装置において、
前記赤外光カットフィルタの前記カット位置から前記離脱位置への切替えを検出するフィルタ位置検出手段と、
前記フィルタ位置検出手段により前記赤外光カットフィルタの前記カット位置から前記離脱位置への切替えが検出されたときに、前記赤外光源を点灯する赤外光源点灯手段と、
前記赤外光源点灯手段により点灯された赤外光源を所定のタイミングで一時的に消灯又は照度が減少した状態にする赤外光源制御手段と、
前記赤外光源制御手段により赤外光源が消灯又は照度が減少した状態にされたときに前記撮像素子により撮像された像と、赤外光源が消灯又は照度が減少した状態にされる直前、又は直後に前記撮像素子により撮像された像とを比較し、明るさに差が無い場合、又は明るさの差が所定の差量よりも小さい場合であって、かつ両像の明るさが共に被写体の輪郭を判別できる程度の明るさである場合に、不正な撮像操作であると判定する不正操作判定手段と、を備えることを特徴とする撮像装置。
【請求項３】
前記不正操作判定手段により不正な撮像操作であると判定されたときに、前記表示部への像の表示を中止して前記撮像素子により撮像された像をユーザが見ることができないようにする表示中止手段を、さらに備えることを特徴とする請求項１又は請求項２に記載の撮像装置。
【請求項４】
前記赤外光源制御手段が赤外光源を一時的に消灯又は照度が減少した状態にするときに、前記表示部に表示される像を、前記撮像素子により撮像されるリアルタイムの像に替えて、前記赤外光源制御手段が赤外光源を一時的に消灯又は照度が減少した状態にする直前に前記撮像素子により撮像された像とする表示画像制御手段を、さらに備えることを特徴とする請求項１乃至請求項３のいずれか１項に記載の撮像装置。
【請求項５】
前記赤外光源制御手段が赤外光源を一時的に消灯又は照度が減少した状態にする時間は、前記撮像素子が１フレームを撮像する時間と同等であることを特徴とする請求項４に記載の撮像装置。
【請求項６】
前記赤外光源制御手段が赤外光源を一時的に消灯又は照度が減少した状態にするタイミングがランダムであることを特徴とする請求項１乃至請求項４のいずれか１項に記載の撮像装置。
【発明の詳細な説明】
【技術分野】
【０００１】
本発明は撮像装置に関し、詳しくは、可視光領域と赤外光領域の撮像が可能な撮像素子を備え、ユーザによって赤外光領域の波長成分をカットする赤外光カットフィルタが着脱自在になった撮像装置に関する。
【背景技術】
【０００２】
家庭用ビデオカメラやディジタルカメラ等の撮像装置に搭載される撮像素子は、通常可視光領域と、赤外光領域の一部とを撮像することができる。これを利用して、撮像装置に赤外光ＬＥＤランプ等の赤外光源を付設すると共に赤外光カットフィルタを着脱自在に取り付けて、昼間の撮影時の撮像画像を良質なものにでき、しかも夕暮れ時や暗い室内での撮影も可能にしたものが知られている（例えば、特許文献１参照）。
【０００３】
上記のような撮像装置において、ユーザは昼間の撮影時には赤外光カットフィルタをレンズ、絞り等の光学系により形成される光路に挿入して、被写体から到来する光の赤外光領域の波長成分をカットし、撮像される像に赤みがかかるのを防いで良好な画質にする。また、暗い室内等での撮影時には赤外光源を点灯して被写体を赤外光により照明すると共に、赤外光カットフィルタを前記光路から離脱して被写体から到来する可視光と赤外光の両方を撮像素子により撮像させ、像をより明るくすることができる。
【０００４】
ところが、上記のような撮像装置では、ユーザが赤外光カットフィルタを光路から離脱するだけで、簡単に赤外光領域の波長成分を撮像素子に到達させ、赤外光領域の像を撮像することができ、赤外光は、薄い衣服であれば容易に透過するので、これを利用して不適正な撮像が行われる可能性がある。例えば、夏場等の赤外光が強い昼間の屋外において、意図的に赤外光カットフィルタを光路から離脱すれば、水着や薄い衣服を着た人物を透視して盗撮するという不適正な撮像を行うことができる。
【０００５】
上記のような不適正な撮像を防止するために、特許文献１に記載の撮像装置では、赤外光領域の波長成分がカットされていないことと、撮像された画像の明るさが所定の閾値以上であることを条件として誤操作を判定し、誤操作と判定したときには電源を遮断するようになっている。
【０００６】
なお、被写体側の人物に気づかれることなく撮像が行われる、不正な撮像行為の一種としてのいわゆる隠し撮りを防止するシステムとしては、撮像装置側だけに不正撮像を防止する機構を設けるのではなく、人物側が不正撮像の対象とされることを避けるための小型の装置を身につけるものがある。
【０００７】
例えば、人物は不正撮像の防止用の画像を有する小型装置を身につけておき、撮像装置側には撮像した画像信号の中に上記不正撮像防止用の画像情報が含まれることを検出する検出手段を備え、不正撮像防止用の画像情報が含まれていることを検出したときには、撮像装置の一部の電源をオフにするものが知られている（例えば、特許文献２参照）。
【０００８】
また、撮像装置にはレリーズボタンの半押し操作時に可視光を発する光源を備え、被写体人物は上記光源からの可視光を受光したときにアラーム音を発生する受光ユニットを持ち、不正な撮像者が隠し撮りをしようとしてレリーズボタンを押したときに、被写体人物は受光ユニットからのアラーム音により気づくようにしたシステムが知られている（例えば、特許文献３参照）。
【先行技術文献】
【特許文献】
【０００９】
【特許文献１】特許第４３４１１０２号公報
【特許文献２】特開２００１−１６９１７５号公報
【特許文献３】特開２００６−３０１４１８号公報
【発明の概要】
【発明が解決しようとする課題】
【００１０】
上記特許文献１に記載の撮像装置は、特許文献２及び３に記載の撮像装置に比べて、人物側が不正撮像防止用の装置を身につけておく必要がなく、撮像装置側が単独で不適正な撮像を判定できる点で優れている。ところが、撮像装置が単独でユーザの行う不適正な撮像行為を的確に検出することは、現実には難しい。例えば、昼間であっても外光の進入が少ない室内で撮像するときには、画質を犠牲にしてでも画像の明るさを増すために赤外光カットフィルタを外す場合がある。特許文献１に記載の撮像装置では、画像の明るさだけを判断基準にしているために、ユーザが撮像装置を室内の比較的明るい領域の被写体に向けたときに、画像の明るさが設定された閾値よりも僅かに上回れば、正しい使用をしているにも拘わらず、ユーザの当該撮像行為が不適正と判定されて撮像ができなくなってしまう。
【００１１】
一方、前述のような不適正な撮像行為は、被写体の人物に気づかれないようにするために５ｍ以上の比較的離れたところから行われるという事情があり、撮像装置に被写体との距離を検出するＡＦ（オートフォーカス）用の距離センサを備える場合には、距離センサの検出した被写体との距離を、不適正な撮像を判定するための条件に加えることが考えられる。ところが、距離センサの種類によっては、位相差方式のように暗い場所や被写体のコントラストが小さいときには距離検出ができないといった制限がある場合がある。また、この問題を解消するために撮像装置に専用の距離センサを設ける場合には製造コストが大幅にアップする。
【００１２】
そこで、本願の発明者は、赤外光カットフィルタが着脱自在になった撮像装置には被写体を照明するための赤外光源が標準的に装備されていることと、赤外光源からの赤外光は通常５ｍ程度の到達距離しか有しないことに着目し、搭載された距離センサによる距離検出に依拠することなく、赤外光源を点灯・消灯制御したときの画像の明るさの変化に基づいて被写体との概略の距離を検知できることに気づき、本願発明に想到した。
【００１３】
本発明は、上記課題を解決するものであり、可視光領域と赤外光領域の撮像が可能な撮像素子と、被写体を照明するための赤外光源と、ユーザの操作によって着脱自在な赤外光カットフィルタと、を備える撮像装置において、距離センサを新たに付設する等の構成の大きな変更の必要がなく、簡単な構成で不適正な撮像行為をより正しく判定することができる撮像装置を提供することを目的とする。
【課題を解決するための手段】
【００１４】
上記課題を解決するために、請求項１の発明は、レンズ、絞り等の光学系により形成された光路を経て被写体から到来する光を受けて該光の可視光領域と赤外光領域の撮像が可能な撮像素子と、前記撮像素子により撮像された像を表示する表示部と、ユーザの操作によって、前記光路に挿入されて光の赤外光領域の波長成分をカットするカット位置と、前記光路から離脱されて光をそのまま前記撮像素子に到達させる離脱位置との間で切替え自在になった赤外光カットフィルタと、前記被写体を照明するための赤外光源と、を備える撮像装置において、前記赤外光カットフィルタの前記カット位置から前記離脱位置への切替えを検出するフィルタ位置検出手段と、前記フィルタ位置検出手段により前記赤外光カットフィルタの前記カット位置から前記離脱位置への切替えが検出されたときに、前記赤外光源を点灯する赤外光源点灯手段と、前記赤外光源点灯手段により点灯された赤外光源を所定のタイミングで一時的に消灯又は照度が減少した状態にする赤外光源制御手段と、前記赤外光源制御手段により赤外光源が消灯又は照度が減少した状態にされたときに前記撮像素子により撮像された像と、赤外光源が消灯又は照度が減少した状態にされる直前、又は直後に前記撮像素子により撮像された像とを比較し、明るさに差が無い場合、又は明るさの差が所定の差量よりも小さい場合に、不正な撮像操作であると判定する不正操作判定手段と、を備えることを特徴とする。
【００１５】
請求項２の発明は、レンズ、絞り等の光学系により形成された光路を経て被写体から到来する光を受けて該光の可視光領域と赤外光領域の撮像が可能な撮像素子と、前記撮像素子により撮像された像を表示する表示部と、ユーザの操作によって、前記光路に挿入されて光の赤外光領域の波長成分をカットするカット位置と、前記光路から離脱されて光をそのまま前記撮像素子に到達させる離脱位置との間で切替え自在になった赤外光カットフィルタと、前記被写体を照明するための赤外光源と、を備える撮像装置において、前記赤外光カットフィルタの前記カット位置から前記離脱位置への切替えを検出するフィルタ位置検出手段と、前記フィルタ位置検出手段により前記赤外光カットフィルタの前記カット位置から前記離脱位置への切替えが検出されたときに、前記赤外光源を点灯する赤外光源点灯手段と、前記赤外光源点灯手段により点灯された赤外光源を所定のタイミングで一時的に消灯又は照度が減少した状態にする赤外光源制御手段と、前記赤外光源制御手段により赤外光源が消灯又は照度が減少した状態にされたときに前記撮像素子により撮像された像と、赤外光源が消灯又は照度が減少した状態にされる直前、又は直後に前記撮像素子により撮像された像とを比較し、明るさに差が無い場合、又は明るさの差が所定の差量よりも小さい場合であって、かつ両像の明るさが共に被写体の輪郭を判別できる程度の明るさである場合に、不正な撮像操作であると判定する不正操作判定手段と、を備えることを特徴とする。
【００１６】
請求項３の発明は、請求項１又は請求項２の発明において、前記不正操作判定手段により不正な撮像操作であると判定されたときに、前記表示部への像の表示を中止して前記撮像素子により撮像された像をユーザが見ることができないようにする表示中止手段を、さらに備えることを特徴とする。
【００１７】
請求項４の発明は、請求項１乃至請求項３のいずれか１項の発明において、前記赤外光源制御手段が赤外光源を一時的に消灯又は照度が減少した状態にするときに、前記表示部に表示される像を、前記撮像素子により撮像されるリアルタイムの像に替えて、前記赤外光源制御手段が赤外光源を一時的に消灯又は照度が減少した状態にする直前に前記撮像素子により撮像された像とする表示画像制御手段を、さらに備えることを特徴とする。
【００１８】
請求項５の発明は、請求項４の発明において、前記赤外光源制御手段が赤外光源を一時的に消灯又は照度が減少した状態にする時間は、前記撮像素子が１フレームを撮像する時間と同等であることを特徴とする。
【００１９】
請求項６の発明は、請求項１乃至請求項４のいずれか１項の発明において、前記赤外光源制御手段が赤外光源を一時的に消灯又は照度が減少した状態にするタイミングがランダムであることを特徴とする。
【発明の効果】
【００２０】
請求項１の発明によれば、赤外光カットフィルタが離脱位置に切替えられたときに、赤外光源を点灯して所定のタイミングで一時的に消灯又は照度が減少した状態にし、消灯又は照度が減少した状態にしたときに撮像された像と、その直前、又は直後に撮像された像とを比較し、明るさに差が無い場合、又は明るさの差が所定の差量よりも小さい場合に、不正な撮像操作であると判定するので、簡単な構成でありながら、より正確に不正な撮像操作を判定することができる。
【００２１】
請求項２の発明によれば、赤外光カットフィルタが離脱位置に切替えられたときに、赤外光源を点灯して所定のタイミングで一時的に消灯又は照度が減少した状態にし、消灯又は照度が減少した状態にしたときに撮像された像と、その直前、又は直後に撮像された像とを比較し、明るさに差が無い場合、又は明るさの差が所定の差量よりも小さい場合であって、かつ両像の明るさが共に被写体の輪郭を判別できる程度の明るさである場合に、不正な撮像操作であると判定するので、簡単な構成でありながら、画像が輪郭を判別できないような暗さであって実質的に問題ない場合を適正に除きつつ、正確に不正な撮像操作を判定することができる。
【００２２】
請求項３の発明によれば、不正な撮像操作であると判定したときに、表示部への像の表示を中止してユーザが撮像画像を見ることができないようにするので、結果的にユーザの不正な撮像行為を防止することができる。
【００２３】
請求項４の発明によれば、赤外光源を一時的に消灯又は照度が減少した状態にするときに、表示部に表示される像を、撮像素子により撮像されるリアルタイムの像から、直前に撮像された像に差し替えるので、表示部に表示される像が不連続になることがなく、ユーザのスムーズな撮像行為が妨げられることがない。
【００２４】
請求項５の発明によれば、赤外光源を一時的に消灯又は照度が減少した状態にする時間が、撮像素子が１フレームを撮像する時間と同等であるので、表示部に表示される像を、撮像素子により撮像されるリアルタイムの像から、直前に撮像された像に差し替える制御が容易であり、表示部の表示画像が不連続になることを容易に防止できる。
【００２５】
請求項６の発明によれば、赤外光源を一時的に消灯又は照度が減少した状態にするタイミングがランダムであるので、ユーザが撮像装置に外部の検査装置を接続して表示部の画像を検査しようとしたときに、表示部の画像を差し替えていることを容易に検出できないようにすることができる。
【図面の簡単な説明】
【００２６】
【図１】本発明の一実施形態に係る撮像装置のブロック図。
【図２】同撮像装置における不正な撮像を判定するための手順のフローチャート。
【図３】（ａ）は同撮像装置における赤外光ＬＥＤランプの点灯・消灯のタイミングを示す図、（ｂ）は同撮像装置における適正な撮像が行われるときの撮像素子が撮像する像をフレーム毎に示す図、（ｃ）は同撮像装置における不適正な撮像が行われるときの撮像素子が撮像する像をフレーム毎に示す図。
【発明を実施するための形態】
【００２７】
以下、本発明の一実施形態に係る撮像装置について、図１乃至図３を参照して説明する。本実施形態の撮像装置１は、図１に示されるように、ズームレンズ２、フォーカスレンズ３、及び絞り４を備える光学系により形成された光路５を経て被写体６から到来する光を受けて可視光領域と赤外光領域の撮像が可能な撮像素子７と、撮像素子７が出力する画像信号のゲイン制御とＡＤ変換を行う信号制御回路８と、信号制御回路８から出力される画像信号に色補正、輪郭補正を行ってビューファインダ（表示部）９に出力する信号処理回路１１と、それらの動作制御用のマイコン（赤外光源点灯手段、赤外光源制御手段、不正操作判定手段、表示中止手段、表示画像制御手段）１２と、被写体６を照明するための赤外光ＬＥＤランプ（赤外光源）１３と、を備えている。
【００２８】
撮像素子７は、ＣＣＤ、ＣＭＯＳイメージセンサ等の固体撮像素子からなり、撮像した画像を画像信号として１／６０秒に１フレームずつのタイミングで信号制御回路８へ出力する。マイコン１２は、撮像素子７からの入力信号ａにより撮像素子７が画像信号を１フレームずつ出力するタイミングを検知し、そのタイミングに同調させて赤外光ＬＥＤランプ１３を、ランプ駆動源１４を介して点灯・消灯制御することができる。
【００２９】
また、マイコン１２は、ユーザが操作ボタン１５を押下して録画指示を与えたとき、及びマイコン１２が生成する後述のタイミングで、信号処理回路１１から出力される画像を静止画像又は動画像としてメモリ１６に記録する。なお、マイコン１２は、スイッチ１０を切替えることによりビューファインダ９への入力を切替えて、ビューファインダ９に表示される画像を、信号処理回路１１から出力されるリアルタイムの画像からメモリ１６に記録された画像へ一時的に切替えることができるようになっている。
【００３０】
ズームレンズ２と絞り４との間には、赤外光カットフィルタ１７が配されている。この赤外光カットフィルタ１７は、ユーザの操作によって、光路５に挿入されて被写体６からの光の赤外光領域の波長成分をカットするカット位置（実線図示）と、光路５から下方へ離脱されて光をそのまま撮像素子７に到達させる離脱位置（二点鎖線図示）との間で切替え自在になっている。
【００３１】
具体的には、赤外光カットフィルタ１７の側部が図示しないレールによって上下方向に摺動自在に支持され、位置を切替えるときには、ユーザが赤外光カットフィルタ１７のつまみ部１７ａを持って上下に移動することにより行う。なお、赤外光カットフィルタ１７の位置を切替え自在にする構成は上記のものに限られず、例えば赤外光カットフィルタ１７が上下に揺動するレバーの先端に固定されているものなど種々の構成が可能である。
【００３２】
上記のようにして位置が切替え自在になった赤外光カットフィルタ１７の下方には、赤外光カットフィルタ１７が下方へ移動されたときに、フィルタ１７の下端が当接することによりオンするスイッチ（フィルタ位置検出手段）１８が備えられている。マイコン１２は、スイッチ１８からのオン信号ｂを受信することにより、赤外光カットフィルタ１７の離脱位置への切替えを検知する。
【００３３】
なお、赤外光カットフィルタ１７がカット位置にあるときには、光の赤外光領域の波長成分がカットされるので、撮像素子７には可視光領域の波長成分のみが到達し、明るい場所にある被写体６の像が自然な色調で鮮明に撮像される。赤外光カットフィルタ１７が離脱位置にあるときには、可視光領域と赤外光領域の両方の波長成分が光量の多い光として撮像素子７に到達するので、例えば昼間であっても比較的暗い室内にある被写体６の像が、赤みがかかって画質は少し低下するものの比較的明るい像として撮像することができる。
【００３４】
また、赤外光カットフィルタ１７が離脱位置にあるときに、被写体６を照明すべく赤外光ＬＥＤランプ１３を点灯させると、被写体６が赤外光の届く範囲（通常５ｍ以内）にある場合には、被写体６から反射されてくる赤外光を撮像できるので、暗い夜間においても被写体６を撮像することができる。この場合の撮像画像は、被写体６の外形を確認できる程度の暗いものである。
【００３５】
次に、マイコン１２が実行する不正な撮像行為の判定手順について、図２のフローチャートを参照して説明する。マイコン１２は、スイッチ１８からのオン信号ｂを受信すると赤外光カットフィルタ１７が離脱位置に切替えられたことを検知し（Ｓ１でＹＥＳ）、赤外光ＬＥＤランプ１３を点灯する（Ｓ２）。このときに、被写体６と撮像装置１の距離が約５ｍ以内であれば、赤外光ＬＥＤランプ１３からの赤外光が被写体６に到達して反射し、反射した赤外光が可視光と共に撮像素子７により撮像される。被写体６と撮像装置１の距離が約５ｍ以上であれば、赤外光ＬＥＤランプ１３からの赤外光が被写体６に到達せず、撮像画像は赤外光が被写体６に到達するときの画像よりも暗くなる。
【００３６】
続いて、マイコン１２は、予め決められた消灯のタイミングになると（Ｓ３でＹＥＳ）、信号処理回路１１から出力される消灯直前の画像をメモリ１６に記憶させたうえで（Ｓ４）、赤外光ＬＥＤランプ１３を１フレーム分の撮像時間と同等の時間（１／６０秒）だけ消灯する。また、消灯しているときの撮像素子７が撮像する画像をメモリ１６に記憶させると共に、ビューファインダ９への入力を切替えて、ビューファインダ９に表示されているリアルタイムの像を、Ｓ４でメモリ１６に記憶させた消灯直前の画像に差し替えて表示させる（Ｓ５）。
【００３７】
消灯のタイミングは、点灯してから一定の時間間隔ごと（例えば１／１０秒ごと）であってもよいし、マイコン１２内のＲＯＭ１２ａに予め記憶された乱数に基づくランダムな時間間隔であってもよい。具体的には、例えば、マイコン１２は、点灯時間が、１／２０秒、１／１５秒、１／３０秒、１／４５秒・・と、消灯のタイミングがランダムになるように制御する。
【００３８】
なお、ビューファインダ９に表示される画像は、撮像素子７が１フレームを撮像する時間と同等の時間だけ、リアルタイムの画像からメモリ１６に記憶された画像に差し替えるので、ビューファインダ９に表示される画像が不連続にならないようにして入力の切替え制御を行うことが容易である。そして、そのことから、ユーザがビューファインダ９の画像が差し替えられていることに気付いたり、不自然さを感じることがなく、通常の撮像行為が妨げられることがない。また、ユーザが仮にビューファインダ９の画像に不自然さを感じて、撮像装置１に検査装置を接続してビューファインダ９に表示される画像を検査しようとした場合でも、切替えタイミングがランダムであれば、ビューファインダ９の画像が切り替えられていることを検出することを難しくできる。
【００３９】
次に、マイコン１２は、Ｓ４でメモリ１６に記憶した赤外光ＬＥＤランプ１３を消灯する直前の画像（以下、直前画像と言う）と、Ｓ５でメモリ１６に記憶した赤外光ＬＥＤランプ１３が消灯しているときの画像（以下、消灯時画像と言う）とを比較する（Ｓ６）。比較の結果、直前画像と消灯時画像の明るさに差がある場合は（Ｓ７でＹＥＳ）、適正な撮像行為であるので、Ｓ３に戻り次の消灯のタイミングを待つ。また、両画像の明るさに差がない場合は（Ｓ７でＮＯ）、両画像が共に暗いか否かを判定する（Ｓ８）。両画像が共に暗い場合以外（共に明るい場合）は（Ｓ８でＮＯ）、不適正な撮像行為であると判定し、信号処理回路１１から所定の信号を出力して、ビューファインダ９にブルーバック画像を表示させる（Ｓ９）。これによりユーザは画像を見ることができなくなり、結果的に不適正な撮像を防止することができる。なお、ここで「明るい」とは、被写体６の輪郭が判別可能な明るさを有することをいう。
【００４０】
Ｓ７とＳ８の判定処理について、図３を参照して説明する。図３は、赤外光ＬＥＤランプ１３が消灯される期間２０の直前、直後における撮像素子７により撮像された像を１フレームずつ示したものであり、図３（ｂ）は、適正な撮像行為の場合、図３（ｃ）は（盗撮の可能性の高い）不適正な撮像行為の場合のものである。いま、被写体６が約５ｍ以内にあるときには、赤外光が被写体６に到達し、反射された赤外光を可視光とともに撮像素子７が撮像するので、図３（ｂ）に示すように、直前画像２１ａの方が消灯時画像２１ｂよりも明るくなる。換言すると、両画像２１ａ、２１ｂの明るさに差が生じる。このことから、両画像２１ａ、２１ｂ間に明るさの差があるときには、被写体６が約５ｍ以内にあることになり、不適正な撮像行為ではないと判定できる。
【００４１】
また、被写体６が約５ｍ以上の距離にあるときには、赤外光が被写体６に到達しないので、赤外光ＬＥＤランプ１３の点灯・消灯に関わらず撮像素子７の受ける光量に差が生じず、図３（ｃ）に示すように、直前画像２２ａと消灯時画像２２ｂの明るさに差が生じない。このことから、両画像２２ａ、２２ｂに明るさの差が無いときには、被写体６が５ｍ以上の距離にあり、不適正な撮像行為であることが推定される。
【００４２】
さらに、両画像２２ａ、２２ｂの明るさに差が無く、共に被写体６の輪郭が判別できない程暗い場合には（Ｓ８でＹＥＳ）、被写体６との距離は５ｍ以上の距離であることが推定されるが、可視光領域の光量も少なく被写体６の輪郭等が判別できる程度の明るさもないことになるので、この場合は、不適正な撮像行為ではないと判定する。具体的には、例えば、ユーザが赤外光カットフィルタ１７を離脱させた状態で露光時間を伸ばして夜景を撮影するときなどである。なお、このように両画像２２ａ、２２ｂの明るさに差が無く、共に暗い場合に（Ｓ８でＹＥＳ）、不適正な撮像行為であると判定して、ビューファインダ９にブルーバックの画像を表示させてもよい。
【００４３】
なお、実際には、直前画像２１ａ、２２ａと消灯時画像２１ｂ、２２ｂとの明るさを比較するときに、所定の幅を設けて、両画像の明るさの差が所定の差量よりも小さいときに明るさの差が無く、大きいときに明るさの差があると判定する。また、明るさを比較する像は、直前画像２１ａ、２２ａに代えて、赤外光ＬＥＤランプ１３の消灯期間２０が終了した直後の像２１ｃ、２２ｃ（以下、直後画像と言う）とし、直後画像２１ｃ、２２ｃと消灯時画像２１ｂ、２２ｂとを比較するものであってもよい。この場合には、撮像素子７の像をメモリ１６に記憶させるＳ４の処理がＳ５の後に移行する。さらに、赤外光ＬＥＤランプ１３は、消灯させずに照度が減少した状態にするようにしてもよい。
【００４４】
以上のように、本願発明の撮像装置１によれば、ユーザにより赤外光カットフィルタ１７が離脱位置に切替えられたときに、赤外光ＬＥＤランプ１３を点灯し、その後、所定のタイミングで一時的に消灯又は照度が減少した状態にし、消灯又は照度が減少した状態にしたときに撮像素子７により撮像された像（消灯時画像２１ｂ、２２ｂ）と、その直前、又は直後に撮像された像（直前画像２１ａ、２２ａ、又は直後画像２１ｃ、２２ｃ）とを比較し、明るさに差が無い場合に、不適正な撮像であると判定するので、専用の距離センサを設けるなどの構成の変更が必要ではなく、簡単な構成でありながら、より正確に不正な撮像操作を判定することができる。
【符号の説明】
【００４５】
１  撮像装置
２  ズームレンズ
３  フォーカスレンズ
４  絞り
５  光路
６  被写体
７  撮像素子
９  ビューファインダ（表示部）
１２  マイコン（赤外光源点灯手段、赤外光源制御手段、不正操作判定手段、表示中止手段、表示画像制御手段）
１３  赤外光ＬＥＤランプ（赤外光源）
１７  赤外光カットフィルタ
１８  スイッチ（フィルタ位置検出手段）
２０  消灯時間
２１ａ、２２ａ  消灯直前の像
２１ｂ、２２ｂ  消灯時の像
【図１】
2012039359.tif 000003
【図２】
2012039359.tif 000004
【図３】
2012039359.tif 000005